(57)【要約】      （修正有）【課題】観察者の姿勢が抑制されず、安易に長時間の観察ができる望遠鏡および双眼望遠鏡を提供する。【解決手段】望遠鏡および双眼望遠鏡は、対物レンズ用の外筒ケース部３と、中間外筒ケース部４と、接眼用の外筒ケース部５とにより外筒ケース２を構成する。また、反射鏡を対物レンズと接眼レンズとの間に設けて光路を設定する。この際、対物レンズ用の外筒ケース部３のケース軸を含む水平面を想定水平面として、接眼レンズ用の外筒ケース部５のケース軸を延長させて想定水平面に対して足をおろす。そして、ケース軸が、想定水平面に対して仰角が４０°〜８０°になるようにし、接眼レンズ用の外筒ケース部５を対物レンズ用の外筒ケース部３に対して傾斜して、反射鏡が、対物レンズから出射した光路を仰角に対応した光路として形成して接眼レンズに入射させる。【選択図】図１
2011075937.tif 000002
【特許請求の範囲】
【請求項１】
対物レンズが一方の端部に取り付けられた対物レンズ用の外筒ケース部と、接眼レンズが一方の端部に取り付けられた接眼用の外筒ケース部と、前記対物レンズ用の外筒ケース部の他方の端部と接眼レンズ用の外筒ケース部の端部との間に配置され、少なくとも前記対物レンズ用の外筒ケース部に接離可能とされた中間外筒ケース部と、から外筒ケースが構成され、
該中間外筒ケース部が、前記対物レンズ用の外筒ケース部のケース軸をＸ、Ｙ、Ｚ３軸のＸ−Ｙ軸平面に配置されたときに、前記接眼レンズ用の外筒ケース部のケース軸をＸ軸からＹ軸方向にずらさせて、前記対物レンズから遠ざかる方向にねじらせ、
前記接眼レンズの外筒ケース部に向けて順次曲折した２つの曲折部を有して、前記接眼レンズ用の外筒ケース部を前記対物レンズ用の外筒ケース部から起立させ、かつ前記曲折部の内部に、前記対物レンズに近接するものを第１として、前記接眼レンズに近接するものを第２としてそれぞれ反射鏡を配設して、前記対物レンズと接眼レンズとの間に光路を設定するようにした望遠鏡において、
前記対物レンズ用の外筒ケース部のケース軸を含む水平面を想定水平面として、また前記接眼レンズ用の外筒ケース部のケース軸を延長して前記想定水平面に対して足をおろしたときに、前記接眼レンズ用のケース軸が、前記想定水平面に対して仰角が４０°〜８０°の範囲に設定されるようにして、前記接眼レンズ用の外筒ケース部が、前記対物レンズ用の外筒ケース部に対して傾斜され、第１および第２の反射鏡が、前記対物レンズから出射した光路を前記仰角に対応した光路として形成して前記接眼レンズに入射させること
を特徴とする望遠鏡。
【請求項２】
請求項１において、第１の反射鏡が、前記仰角を９０°にするために第１の反射鏡に光路中心が所定の角度で入射して当接することになる場合において、光路中心が前記所定の角度よりも小さい入射角度で入射され、仰角９０°の場合に比べて、第１の反射鏡の反射鏡面の光路方向の反射距離が長くされて、光路に対する直角方向の幅の幅狭に対して光路方向の幅の幅広とされた反射面積を持つことを特徴とする望遠鏡。
【請求項３】
請求項１または２において、第１の反射鏡が、前記光路に対する直角方向の幅Ｌに対して光路方向の幅Ｌ´が２倍以上とされた反射面積を持つことを特徴とする望遠鏡。
【請求項４】
請求項１から３のいずれかにおいて、前記中間外筒ケース部には、仰角の異なる２個以上の中間外筒ケース部のいずれかが設置されることを特徴とする望遠鏡。
【請求項５】
請求項１から４のいずれかにおいて、仰角調整手段が前記曲折部の外側に設けられ、前記反射鏡のいずれもが該仰角調整手段によって外側から仰角調整されることを特徴とする望遠鏡。
【請求項６】
請求項１から５のいずれかに記載した望遠鏡が２セット組み合わされてそれらの中央面を対称にして配設され、双方の望遠鏡間間隔を調整する望遠鏡間間隔調整手段が設けられ、双方の望遠鏡の仰角が同一とされたことを特徴とする双眼望遠鏡。
【発明の詳細な説明】
【技術分野】
【０００１】
本発明は、望遠鏡および双眼望遠鏡に係り、特に複数の反射鏡が、対物レンズから出射した光路を一定の仰角に対応した光路として形成して接眼レンズに入射させる
望遠鏡および双眼望遠鏡に関するものである。
【背景技術】
【０００２】
従来、天体望遠鏡に代表される望遠鏡は、操作が容易等の理由から、接眼レンズおよび対物レンズに凸レンズを用いて光を集める光学系を適用した屈折式望遠鏡が用いられている。しかし、このまま屈折式望遠鏡を用いると、接眼レンズからは上下左右反対の倒立像が観察されてしまうため、一般的には、像の向きを少数回の反射によって反転させる事で正立像を得る正立プリズム系、即ちプリズムや反射鏡を接眼レンズと対物レンズの間に挿入して構成した正立光学系が屈折式望遠鏡に適用されている。
【０００３】
また、上記の望遠鏡は、天頂付近の観察体を観察するとなると、即ち観察体への地面に対する角度が大きくなると、観察者は不自然な姿勢のままで長時間の観察を強いられ首等の部位が苦痛を伴ってしまい、長時間の観察が困難になってしまう問題があった。この問題の対策として、光路を２回反射により接眼の角度に対して９０°の俯視と正立像とを同時に実現するアミチプリズムと呼ばれるプリズムを用いた正立光学系を、接眼レンズと対物レンズの間に適用して接眼部分の角度を従来のものより９０°傾けることによって、接眼レンズからの観察を楽なものにしていた。
【０００４】
しかしながら、上記のアミチプリズムは、光路の反射をガラスのプリズムを介して行う理由から観察体の観察の解像度を落とす傾向があるため高倍率での観察には向かず、しかも、プリズムの製造には高精度が要求されるので、経済的に製造できないという問題があった。
【０００５】
近年では、上記した天体望遠鏡を地上望遠鏡としても用いたり、単体の望遠鏡を２つ組み合わせて双眼望遠鏡としても用いたりしたいとの要求があり、これらの要求および上記の問題に対応するべく、種々の発明がなされている。
【０００６】
例えば、特許文献１では、入射主光線に垂直な入射面を持ち、入射主光線が唯一の反射面に入射角６０°以上で入射して反射するように配置された第１の光学素子と、第１の光学素子の反射光線が唯一の反射面で反射することにより、ほぼ９０°の光路の転向と像の向きの完全反転を行うように、第１の光学素子の反射面とほぼ直交して反射面が配置された第２の光学素子とを具備した望遠鏡アタッチメント、または双眼鏡用の正立プリズム系が開示されている。この発明によれば、構造上、解像度の低下をすることなく、光学素子も簡便な構造となるので、経済的に製造ができる。また、地上用の望遠鏡にも利用できたり、眼幅調整手段を用いることにより天体及び地上両用の双眼望遠鏡を構成できたりする。
【０００７】
更に、特許文献２では、主光線が斜めに入射する反射面において、その反射面と平行な平面上にあって反射面を傾斜自在に支持する支点と、主光線がその属する空間の天地方向と水平方向に振れるような２つの方向に対して反射面を傾斜させることができる第１の調整手段と第２の調整手段とによって反射面の角度を調整する発明がなされている。この発明を望遠鏡や双眼望遠鏡に適用することで、上記のアミチプリズムを用いず反射鏡を用いて正立像が得ることができ、上記のようなプリズムを用いた時よりも解像度の低下をすることもないので、鮮明な正立像を得られる望遠鏡を経済的に製造できる。
【先行技術文献】
【特許文献】
【０００８】
【特許文献１】特公平６−３４９４号公報
【特許文献２】特開平８−２７８４５３号公報
【発明の概要】
【発明が解決しようとする課題】
【０００９】
上記の発明を用いて天体用の望遠鏡または双眼望遠鏡を実際に使用すると、観察者が望遠鏡の接眼レンズに傾ける首の角度、即ち望遠鏡の対物レンズを含む筒（以下、鏡筒という。）の軸線に対する仰角は９０°となる。しかしながら、鏡筒の軸線を水平面と平行にして、上記角度で地上用の望遠鏡または双眼望遠鏡を用いると、観察者の姿勢が抑制されて首等の部位へ大きな負担をかけてしまい、依然として長時間の観察が困難になってしまう問題があった。
【００１０】
本発明の目的は、上記の問題に鑑みて、２つの反射鏡により対物レンズと接眼レンズとの間に光路を設定するようにし、かつ単体および双眼望遠鏡として両用可能な望遠鏡において、接眼レンズ用のケース軸が水平面に対して仰角が所定の範囲に設定できるようにして、上記２つの反射鏡が対物レンズから出射した光路を上記仰角に対応した光路として形成して接眼レンズに入射させることにより、観察者の姿勢が抑制されず、安易に長時間の観察ができる望遠鏡および双眼望遠鏡を提供することにある。
【課題を解決するための手段】
【００１１】
本発明は、対物レンズが一方の端部に取り付けられた対物レンズ用の外筒ケース部と、接眼レンズが一方の端部に取り付けられた接眼用の外筒ケース部と、前記対物レンズ用の外筒ケース部の他方の端部と接眼レンズ用の外筒ケース部の端部との間に配置され、少なくとも前記対物レンズ用の外筒ケース部に接離可能とされた中間外筒ケース部と、から外筒ケースが構成され、該中間外筒ケース部が、前記対物レンズ用の外筒ケース部のケース軸をＸ、Ｙ、Ｚ３軸のＸ−Ｙ軸平面に配置されたときに、前記接眼レンズ用の外筒ケース部のケース軸をＸ軸からＹ軸方向にずらさせて、前記対物レンズから遠ざかる方向にねじらせ、前記接眼レンズの外筒ケース部に向けて順次曲折した２つの曲折部を有して、前記接眼レンズ用の外筒ケース部を前記対物レンズ用の外筒ケース部から起立させ、かつ前記曲折部の内部に、前記対物レンズに近接するものを第１として、前記接眼レンズに近接するものを第２としてそれぞれ反射鏡を配設して、前記対物レンズと接眼レンズとの間に光路を設定するようにした望遠鏡において、前記対物レンズ用の外筒ケース部のケース軸を含む水平面を想定水平面として、また前記接眼レンズ用の外筒ケース部のケース軸を延長して前記想定水平面に対して足をおろしたときに、前記接眼レンズ用のケース軸が、前記想定水平面に対して仰角が４０°〜８０°の範囲に設定されるようにして、前記接眼レンズ用の外筒ケース部が、前記対物レンズ用の外筒ケース部に対して傾斜され、第１および第２の反射鏡が、前記対物レンズから出射した光路を前記仰角に対応した光路として形成して前記接眼レンズに入射させることを特徴とする。
【００１２】
前記発明は、また、第１の反射鏡が、前記仰角を９０°にするために第１の反射鏡に光路中心が所定の角度で入射して当接することになる場合において、光路中心が前記所定の角度よりも小さい入射角度で入射され、仰角９０°の場合に比べて、第１の反射鏡の反射鏡面の光路方向の反射距離が長くされて、光路に対する直角方向の幅の幅狭に対して光路方向の幅の幅広とされた反射面積を持つことを特徴とする。
【００１３】
前記発明は、また、第１の反射鏡が、前記光路に対する直角方向の幅Ｌに対して光路方向の幅Ｌ´が２倍以上とされた反射面積を持つことを特徴とする。
【００１４】
前記発明は、また、前記中間外筒ケース部には、仰角の異なる２個以上の中間外筒ケース部のいずれかが設置されることを特徴とする。
【００１５】
前記発明は、また、仰角調整手段が前記曲折部の外側に設けられ、前記反射鏡のいずれもが該仰角調整手段によって外側から仰角調整されることを特徴とする。
【００１６】
本発明は、また、前記発明の望遠鏡が２セット組み合わされてそれらの中央面を対称にして配設され、双方の望遠鏡間間隔を調整する望遠鏡間間隔調整手段が設けられ、双方の望遠鏡の仰角が同一とされたことを特徴とする。
【発明の効果】
【００１７】
上記のように本発明の望遠鏡または双眼望遠鏡を構成することにより、観察者の姿勢が抑制されず、安易に観察体の観察が長時間できる。また、上記の中間外筒ケース部を、上記仰角が異なる２個以上の中間外筒ケース部のいずれかを設置するようにすることで、容易に仰角の異なる望遠鏡や双眼望遠鏡が構成できる。
【００１８】
また、第１の反射鏡において、光路に対する直角方向の幅に対して光路方向の幅が２倍以上の反射面積を持たせたり、仰角調整手段を曲折部の外側に設け、２つの反射鏡のいずれも仰角調整手段によって外側から仰角調整を可能としたりすることによって、仰角を変更する度に反射鏡を異なったものに交換する必要がなく同一の反射鏡を用いることができるため、経済的に望遠鏡または双眼望遠鏡を製造することができる。
【図面の簡単な説明】
【００１９】
【図１】本発明の実施例である望遠鏡全体を示す概略外観図である。
【図２】本発明の実施例である望遠鏡の内部の反射鏡配置を示す斜視図である。
【図３】図２の反射鏡の構成図である。
【図４】図２の反射鏡の反射面積の説明図である。
【図５】本発明の望遠鏡の光路形成図である。
【図６】本発明の望遠鏡の仰角調整手段図である。
【図７】本発明の望遠鏡の２つの曲折部、仰角、光路軸、想定水平面および想定水平面に対する仰角の関係を示す外筒ケースの正面図である。
【図８】本発明の望遠鏡の２つの曲折部、仰角、光路軸、想定水平面および想定水平面に対する仰角の関係を示す外筒ケースの側面図である。
【図９】本発明の望遠鏡の２つの曲折部、仰角、光路軸、想定水平面および想定水平面に対する仰角の関係を示す外筒ケースの側面図（中間外筒ケースを想定水平面に対して平行に配置した図）である。
【図１０】本発明の望遠鏡の仰角、光路軸、想定水平面および想定水平面に対する仰角の関係を示す図である。
【図１１】本発明の望遠鏡の仰角組セット図である。
【図１２】本発明の別の実施例である双眼望遠鏡の外観図である。
【図１３】本発明の別の実施例である双眼望遠鏡内の光路図である。
【図１４】本発明の望遠鏡の効果を説明する概略図である。
【発明を実施するための形態】
【００２０】
以下、本発明の実施例を図面に基づいて説明する。
【実施例１】
【００２１】
図１は、本発明の実施例である望遠鏡１００について、その全体の概略外観を示す。また、望遠鏡１００内部の反射鏡配置を図２に示す。
【００２２】
望遠鏡１００は、図１に示すように、鏡筒部１に外筒ケース２が接続されて構成される。
【００２３】
鏡筒部１は、一方の端部１Ａに対物レンズ（図示せず）を備える。この対物レンズは、高倍率で鮮明な像を得るために、一般的には大口径となりそれに伴い鏡筒部１の径も大きくなる。従って、一般的に鏡筒部１は外筒ケース２と比べ重量部となり、この部分に架台やファインダーなどの付属品が取り付けられる。
【００２４】
外筒ケース２は、端部３Ａを鏡筒部１の端部１Ｂと取り付ける対物レンズ用の外筒ケース部３と、接眼レンズが一方の端部５Ｂに取り付けられた接眼レンズ用の外筒ケース部５と、対物レンズ用の外筒ケース部３の他方の端部３Ｂと接眼レンズ用の外筒ケース部の他方の端部５Ａとの間に配置され、少なくとも対物レンズ用の外筒ケース部３に接離可能とされた中間外筒ケース部４とから構成される。即ち、鏡筒部１と外筒ケース２の接続により、対物レンズ用の外筒ケース部３には、一方の端部１Ａに対物レンズが取り付けられている。この際、この外筒ケース２は、対物レンズ用の外筒ケース部３、中間外筒ケース部４および接眼レンズ用の外筒ケース部５を一体化させて一つのケースとして構成しても良い。
【００２５】
図１の一点鎖線は、光路６を示しており、対物レンズ側および接眼レンズ側の曲折部７、８により光路方向が変わっている。これは、この曲折部７、８上に反射鏡を設けているためである。本発明の実施例である望遠鏡１００は、図２に示すように、対物レンズ用の外筒ケース部３に第１の反射鏡９、中間外筒ケース部４に第２の反射鏡１０を備えている。ここで、光路６は、倒立像が主光束１１として入射し、第１の反射鏡９に入射して反射し、その反射光束１２が第２の反射鏡１０へ入射して反射することにより、接眼部で正立像１３として観察されることを示している。この際、主光束１１および反射光束１２は、反射鏡９、１０の鏡面（以下、反射鏡面という。）に入射または反射鏡面から反射するとき、これら反射鏡面には各光束１１，１２の当接による所定の面積が形成される。以下、主光束および反射光束が反射鏡に当接する面積を反射面積という。また、主光束とは、光源から発せられる光により、一定の方向から観察される像がなす光束のことをいう。以上のように、本発明の望遠鏡１００は、光路６を形成する正立光学系を構成する。この光路６は、実際には外筒ケース２の中間外筒ケース部４によって後述するように設定される。
【００２６】
図３は、反射鏡の構造図であり、図３（ａ）は平面図、図３（ｂ）は正面図である。また、図４は、反射面積を説明する図であり、図４（ａ）は平面図、図４（ｂ）は正面図である。また、図５は本発明の望遠鏡１００の光路形成図を示す。
【００２７】
以下、本発明の望遠鏡１００の反射鏡９について説明する。反射鏡９は図３（ａ）、（ｂ）に示すように、それぞれ幅寸法１４Ａ、高さ寸法１４Ｂ、厚さ寸法１４Ｃを基本として製造される。反射鏡９は、図３（ｂ）の反射鏡面１５に主光束１１が入射または反射するようになっている。また、主光束１１の中心線が光路６となり、即ちこれが光路中心の線を表す。この光路６と反射鏡面１５とがなす角度が入射または反射の角度となり、図３では、入射角が２０°の場合の図を示している。
【００２８】
この主光束１１による反射鏡９の反射面積１６は、図３（ａ）の内側の楕円で示される。この際、反射鏡９自体をこの反射面積１６より大きくしないと、入射する主光束１１が全て反射鏡面１５で反射せず、接眼レンズにて観測される像は反射鏡面１５で反射しなかった主光束１１の分だけ見えなくなってしまう。このように、主光束が全て反射せず、その分の像が見えなくなってしまう現象は、像が「けられる」と表現される。尚、反射光束１２についても同様である。これにより、接眼レンズにて最終的に観測される像は、主光束１１および反射光束１２がけられた分の像が見えなくなってしまう。
【００２９】
そのため、反射鏡９、１０は当然のごとく反射面積よりも大きい面積になるように製造する。この際、反射面積よりもある程度大きい面積で製造する場合は、外径は図３（ａ）のように多角形状にしてもよく、これにより製造時間及び費用を低減することができる。また、反射鏡１０も反射鏡９と同様の寸法で製造することで、仕様毎に異なる反射鏡を製造することもなく、望遠鏡１００の製造を経済的にすることができる。
【００３０】
図４に示すように、上記した入射角２０°の場合の反射面積１６よりも、入射角が３０°の場合の反射面積１７の方が面積は小さくなる。即ち、入射角が小さくなればなるほど、反射鏡９、１０を大きく、特に幅寸法１４Ａを大きく設計する必要が生じる。尚、図４（ｂ）には、入射角が３０°の場合の、光路１８および主光束１９を示している。
【００３１】
製造された反射鏡９、１０は、図５に示すように、それぞれ各ケース部３、４が有する反射鏡固定部２０、２１によって取り付け固定される。この反射鏡固定部２０、２１は対物レンズ側および接眼レンズ側の曲折部７、８の外側にそれぞれ設けられる。尚、反射鏡固定部２０、２１の底部には、図６に示すような仰角調整手段２２、２３を設けても良い。これら仰角調整手段２２、２３は、反射鏡固定部２０、２１に固定するための固定ねじ部２２Ａまたは２３Ａと反射鏡の反射の姿勢を調整するための調整ねじ部２２Ｂ、２２Ｃまたは２３Ｂをそれぞれ有している。仰角調整手段２２、２３は、自身を設けるケース部３、４によって、図６（ａ）、（ｂ）のようにねじ部の構成がそれぞれ異なる。これら仰角調整手段２２、２３を設けることにより、外側から反射鏡９、１０の姿勢をそれぞれ調整できるようになる。
【００３２】
次に、中間外筒ケース部４による光路６の設定について説明する。中間外筒ケース部４は、対物レンズ用の外筒ケース部３のケース軸２４ＡがＸ、Ｙ、Ｚ３軸のＸ−Ｙ軸平面に配置されたときに、接眼レンズ用の外筒ケース部５のケース軸２４ＣをＸ軸からＹ軸方向にずらさせて、対物レンズ用の外筒ケース部３から遠ざかる方向にねじらせ、接眼レンズの外筒ケース部５に向けて順次曲折した２つの曲折部７、８を有して、接眼レンズ用の外筒ケース部５を対物レンズ用の外筒ケース部３から起立させ、かつ曲折部７、８の内部に、対物レンズに近接するものを第１として、接眼レンズに近接するものを第２としてそれぞれ反射鏡９、１０を配設して、対物レンズと接眼レンズとの間に光路６を設定する。これについて、以下詳述する。
【００３３】
図７ないし図９は、本発明の望遠鏡１００の外筒ケース２に設けた２つの曲折部、仰角、光路軸、想定水平面および想定水平面に対する仰角の関係を示している。ここで、図７は、対物レンズ用の外筒ケース部３のケース軸２４ＡをＸ、Ｙ、Ｚ３軸で表したときに、Ｘ−Ｙ軸平面上、即ち想定水平面２５に平行に配置したときに、Ｘ軸方向から対物レンズ用の外筒ケース部３を見た図である。以下、この図を外筒ケース２の正面図とする。また、図８は、図７をＹ軸方向から見た図であり、図９は、中間外筒ケース部４のケース軸２４Ｂを上記の想定水平面２５に対して平行に配置した図である。以下、図８、図９を外筒ケース２の側面図とする。尚、図７ないし図９の想定水平面２５は、実際は軸線状に配置するため、紙面上では直線として見えるが、説明の便宜を図るため、斜視したように描いている。
【００３４】
中間外筒ケース部４は、まず、対物レンズ用の外筒ケース部３のケース軸２４ＡをＸ、Ｙ、Ｚ３軸のＸ−Ｙ軸平面上に配置したときに、接眼レンズ用の外筒ケース部５のケース軸２４ＣをＸ軸からＹ軸方向にずらさせて、対物レンズから遠ざかる方向にねじらせて配置するようにしている。即ち、図７に示すように、ケース軸２４Ｃは、Ｙ座標がケース軸２４ＡのＹ座標より正方向に移動して、ケース軸２４Ａから遠ざかる方向に、即ち対物レンズの中心から遠ざかるように、かつケース軸２４Ａとねじれの位置に配置されることを意味する。
【００３５】
次に、中間外筒ケース部４は、接眼レンズの外筒ケース部５に向けて順次曲折する２つの曲折部７、８をそれぞれ有して、接眼レンズ用の外筒ケース部５を対物レンズ用の外筒ケース部３から起立させるようにしている。そして、曲折部７、８の内部に、対物レンズに近接するものを第１として、接眼レンズに近接するものを第２としてそれぞれ反射鏡９、１０を配設して、対物レンズと接眼レンズとの間に光路６を設定するようにしている。この際、光路６は、ケース軸２４Ａ、２４Ｂ、２４Ｃ上を通過するようにする。尚、これらケース軸２４Ａ、２４Ｃの立体的なずれは、図９に示すようになる。
【００３６】
本発明の望遠鏡１００は、以上のような構成により、光路６が設定されるようになっている。また、ケース軸２４Ａ、２４Ｂ、２４Ｃを上記のように移動することで、本発明の望遠鏡１００は、単眼の望遠鏡として機能することはもちろん、後述する双眼望遠鏡としても用いることができる。
【００３７】
本発明の望遠鏡１００は、更に、図７ないし図９に示すように、対物レンズ用の外筒ケース部３のケース軸２４Ａを含む水平面を想定水平面２５として、また接眼レンズ用の外筒ケース部５のケース軸２４Ｃを延長して想定水平面２５に対して足２６をおろして想定水平面２５との交点２７を形成したときに、接眼レンズ用の外筒ケース部５のケース軸２４Ｃが、想定水平面２５に対して仰角２８が４０°〜８０°の範囲に設定されるようする。即ち、足２６と想定水平面２５とのなす角が４０°〜８０°の範囲に設定されるようする。
【００３８】
そして、接眼レンズ用の外筒ケース部５が、図７ないし図９に示すように、対物レンズ用の外筒ケース部３に対して傾斜し、第１および第２の反射鏡９、１０が、対物レンズから出射した光路を上記仰角２８に対応した光路６として形成して接眼レンズに入射させるようにする。即ち、対物レンズから出射した光路６は、仰角２８を定めた角度になるように反射鏡９、１０に入射する角度を予め計算しておいて、反射鏡９、１０を配設する。尚、図４（ｂ）に示した反射鏡９への入射角は、理論上、３０°では従来の仰角９０°、２５°では、仰角が略７０°となる。
【００３９】
上記のように仰角２８を構成すれば、図１０に示すように、従来の仰角９０°に比べて光路６が想定水平面２５に傾くようになる、即ちケース軸２４Ａが想定水平面２５に傾くので、地上望遠鏡等の対物レンズのケース軸２４Ａを水平面と平行にしていくような望遠鏡は、図１０のように、ケース軸２４Ａが想定水平面２５に傾いている方が、観察者の姿勢が抑制されず、観察者は安易に観察物を観察することができるようになる。尚、ケース軸２４Ａの延長線は、鏡筒部１のケース軸（図示せず）と同一であることは言うまでもない。
【００４０】
また、第１の反射鏡９が、仰角２８を９０°にするために第１の反射鏡９に光路中心、即ち光路６が所定の角度で入射して当接することになる場合において、光路６が所定の角度よりも小さい入射角度で入射され、仰角９０°の場合に比べて、第１の反射鏡９面の光路方向の反射距離（図示せず）が長くなり、かつ図４に示すように光路６に対する直角方向の幅（以下、Ｌという。）の幅狭に対して光路方向の幅（以下、Ｌ´という。）の幅広とされた反射面積を持つこと、詳述すると光路に対する直角方向の幅Ｌに対して光路方向の幅Ｌ´が２倍以上とされた反射面積を持つようにすることが望ましい。ここで、反射距離とは第１の反射鏡９から第２の反射鏡１０までの反射した光路６の距離を言い、上記Ｌは図４（ｂ）の反射面積の短径方向、Ｌ´の幅広は図４（ａ）の反射面積の長径方向をそれぞれいう。これら反射距離および反射面積の規定は、従来の仰角９０°に対する上記の仰角４０°〜８０°における規定であり、鋭意検討され導き出された値であって、この値に従って第１の反射鏡９の幅寸法１４Ａおよび高さ寸法１４Ｂを設定する。これらの寸法１４Ａ、１４Ｂは、観察される像のけられを防ぐために、目標とする反射面積より大きい面積となるよう設定することは言うまでもない。ただし、これらの値の規定は、対物レンズ用の外筒ケース部３の長さを想定することを要すると思われる。
【００４１】
上記のように構成した本発明の望遠鏡１００は、中間外筒ケース部４に、仰角２８の異なる２個以上の中間外筒ケース部のいずれかが設置されるようにすること、即ち、図１１に示すように、仰角２８の異なるようにした中間外筒ケース部４Ｂ、５Ｂと接眼レンズ用の外筒ケース部４Ｃ、５Ｃ等と複数有し、仰角組セット２９、３０、３１として備えておくことにより、中間外筒ケース部を交換するだけで容易に仰角２８の異なる望遠鏡１００を構成することができる。尚、各外筒ケース部は、実際には図１１に示すように、それぞれをねじ等で接合するためのねじ穴３２Ａ、３２Ｂ、３２Ｃを備えている。
【００４２】
また更に、反射鏡固定部２０、２１に仰角調整手段２２、２３を設けることにより、反射鏡９、１０を仰角調整手段２２、２３によって外側から仰角２８を調整できるようにでき、より容易に仰角の調整をすることができるようになる。
【００４３】
以上のように、構成した本発明の望遠鏡１００は、実際に地上望遠鏡として使用される場合には、図１４（ａ）、(ｂ)に示すように、仰角が９０度である従来の望遠鏡９９と比べて、観察者が望遠鏡の接眼レンズに傾ける首の角度を小さくできて姿勢が抑制されなくなり、首等の部位へ大きな負担をかけることもなく、安易に観察体の観察ができるようになる。
【実施例２】
【００４４】
本発明による別の実施例を図１２、図１３に示している。
【００４５】
図１２および図１３に示すように、実施例１と同様の望遠鏡２００Ａ、２００Ｂを２セット組み合わせて、それらの中央面３３を対称にして配設し、双方の望遠鏡２００Ａ、２００Ｂ間間隔を調整する望遠鏡間間隔調整手段（図示せず）を設けて、双方の望遠鏡の仰角を同一とするようにすれば、双眼望遠鏡２００として用いることができ、実施例１と同様の効果を奏することができる。また、双眼望遠鏡２００は、両方の眼を使用することができ、より楽に観察物の観察をすることができる。
【００４６】
上記のように本発明の望遠鏡または双眼望遠鏡を構成することにより、観察者の姿勢が抑制されず、安易に長時間の観察ができる望遠鏡および双眼望遠鏡を提供することができる。また、上記の中間外筒ケース部には、上記仰角が異なる２個以上の中間外筒ケース部のいずれかが設置されるようにすることで、観察者個人が容易に仰角の異なる望遠鏡や双眼望遠鏡を構成することができる。
【００４７】
また、第１の反射鏡が、光路に対する直角方向の幅に対して光路方向の幅が２倍以上の反射面積を持たせたり、仰角調整手段を曲折部の外側に設け、２つの反射鏡のいずれも仰角調整手段によって外側から仰角調整したりすることによって、仰角を変更する度に反射鏡を異なったものに交換する必要がなく同一の反射鏡を用いることができるため、経済的に望遠鏡または双眼望遠鏡を製造することができる。
【符号の説明】
【００４８】
１…鏡筒部、１Ａ、３Ｂ、５Ａ、５Ｂ…端部、２…外筒ケース、３…対物レンズ用の外筒ケース部、４…中間外筒ケース部、５…接眼レンズ用の外筒ケース部、６…光路、７、８…曲折部、９、１０…反射鏡、１５…反射鏡面、１６…反射面積、２２、２３…仰角調整手段、２４Ａ、２４Ｂ、２４Ｃ…ケース軸、２５…想定水平面、２６…足、２８…仰角、１００、２００Ａ、２００Ｂ…望遠鏡（単眼）、２００…双眼望遠鏡。
【図１】
2011075937.tif 000003
【図２】
2011075937.tif 000004
【図３】
2011075937.tif 000005
【図４】
2011075937.tif 000006
【図５】
2011075937.tif 000007
【図６】
2011075937.tif 000008
【図７】
2011075937.tif 000009
【図８】
2011075937.tif 000010
【図９】
2011075937.tif 000011
【図１０】
2011075937.tif 000012
【図１１】
2011075937.tif 000013
【図１２】
2011075937.tif 000014
【図１３】
2011075937.tif 000015
【図１４】
2011075937.tif 000016